(57)【特許請求の範囲】
【請求項１】
工具本体の外周に工具先端から基端側に向かう螺旋状の切り屑排出溝が２つ形成された穴明け工具であって、この２つの切り屑排出溝のうち一の切り屑排出溝のみに工具先端側に切れ刃が設けられ、また、この切れ刃を有する切り屑排出溝は工具先端から刃部の基端部まで形成される主溝に設定され、前記切れ刃が設けられない他の切り屑排出溝は前記主溝より短い副溝に設定され、前記主溝及び副溝の工具先端における溝深さは工具直径の２０％〜４０％となるように設定されており、また、前記主溝と副溝は工具先端視において工具回転中心に対して非点対称位置に設けられており、また、工具先端にはチゼルエッジが形成されるように先端逃げ面が形成されており、さらに、前記主溝は、第一のねじれ角を有する第一のねじれ領域と、この第一のねじれ領域の工具基端側に連設され前記第一のねじれ角より大きい第二のねじれ角を有する第二のねじれ領域とを備え、前記副溝のねじれ角は先端から基端まで一定であることを特徴とする穴明け工具。
【請求項２】
請求項１記載の穴明け工具において、前記主溝は、第一のねじれ角が３５°〜４５°に設定され、前記第二のねじれ角が前記第一のねじれ角より５°〜２０°大きく設定され、前記第一のねじれ領域と前記第二のねじれ領域との連設部が工具先端から０．２ｍｍ〜前記切れ刃を有する切り屑排出溝の全長の１／２の位置に設けられていることを特徴とする穴明け工具。
【請求項３】
請求項１，２いずれか１項に記載の穴明け工具において、前記副溝のねじれ角は前記主溝の第一のねじれ領域におけるねじれ角と略同じ角度に設定されていることを特徴とする穴明け工具。
【請求項４】
請求項３記載の穴明け工具において、前記副溝の全長は、工具先端から０．２ｍｍ〜主溝の全長の１／２に設定されていることを特徴とする穴明け工具。
【請求項５】
請求項３，４いずれか１項に記載の穴明け工具において、前記副溝の溝深さは、前記主溝の溝深さと同じか若しくは該主溝の溝深さより浅く設定されていることを特徴とする穴明け工具。
【請求項６】
請求項１〜５いずれか１項に記載の穴明け工具において、工具先端が最も突出する角錐形状となるように、前記主溝のすくい面とで切れ刃を形成する第一の逃げ面と、この第一の逃げ面の後方側に連設する第二の逃げ面と、副溝のすくい面の後方側に夫々連設する逃げ面夫々が工具先端に対して所定角度で逃げるように設けられていることを特徴とする穴明け工具。
【請求項７】
請求項１〜６いずれか１項に記載の穴明け工具において、工具直径が０．４ｍｍ以下であることを特徴とする穴明け工具。
【発明の詳細な説明】
【技術分野】
【０００１】
本発明は、穴明け工具に関するものである。
【背景技術】
【０００２】
プリント配線板（ＰＣＢ）の穴明け加工には、図１に図示したような刃部Ｃを有するボデーＡとシャンク部Ｂとで構成されるドリルが使用される。具体的には、刃部Ｃには、図２，３に図示したように本体20の外周にドリル先端から基端側に向かう螺旋状の切り屑排出溝22が形成され、この切り屑排出溝22のすくい面と先端に設けられた第一の逃げ面24との交差稜線部には切れ刃21が形成されている（特許文献１等参照）。尚、図中、符号25は第一の逃げ面24の工具回転方向後方側に連設される第二の逃げ面、Ｏ’はドリル回転中心、α’はねじれ角である。
【０００３】
ところで、近年のプリント配線板には、更なる信頼性向上のため、耐熱性の向上、曲げ強度の強化及び低熱膨張化が求められており、ＰＣＢを構成するガラスクロスや樹脂の機械的強度を高めることで、高信頼を確保しているものが多くなっている。
【０００４】
しかしながら、上記構成のＰＣＢは、穴明け加工を行う被削材として考慮した場合、機械的強度が高められた分だけドリルの摩耗を促進し易く、穴加工中のドリル折損や過度の摩耗に伴う穴位置精度等の穴品質の悪化を引き起こし易い。
【０００５】
また、ＰＣＢの高密度化に伴い、使用されるドリルの穴径は年々径小化しており、直径が０．４ｍｍ以下の穴明け加工がその大半を占めている。また、穴加工工程においては、加工効率を考慮し、同仕様のＰＣＢを複数枚重ねて穴明け加工をするのが一般的である。
【０００６】
そのため、近年ＰＣＢ用小径ドリルに対し、第一に求められる性能は、加工コスト削減を目的としたＰＣＢの重ね枚数の増加や、ドリルの穴明け寿命の延長の試みに対し、上記したような比較的加工性の悪いＰＣＢの加工においても、折損せず穴明け加工できることが挙げられる。
【０００７】
【特許文献１】特開昭５６−３９８０７号公報
【発明の開示】
【発明が解決しようとする課題】
【０００８】
本発明は、上述のような現状に鑑みなされたもので、切り屑排出溝のねじれ角を途中で変化させることで折損し難く且つ切り屑排出性も良好となり、小径ドリルであっても良好な穴加工が実現できる極めて実用性に秀れた穴明け工具を提供するものである。
【課題を解決するための手段】
【０００９】
添付図面を参照して本発明の要旨を説明する。
【００１０】
工具本体１の外周に工具先端から基端側に向かう螺旋状の切り屑排出溝２が２つ形成された穴明け工具であって、この２つの切り屑排出溝２のうち一の切り屑排出溝２のみに工具先端側に切れ刃５が設けられ、また、この切れ刃５を有する切り屑排出溝２は工具先端から刃部の基端部まで形成される主溝２ａに設定され、前記切れ刃が設けられない他の切り屑排出溝２は前記主溝２ａより短い副溝２ｂに設定され、前記主溝２ａ及び副溝２ｂの工具先端における溝深さは工具直径ｄの２０％〜４０％となるように設定されており、また、前記主溝２ａと副溝２ｂは工具先端視において工具回転中心Ｏに対して非点対称位置に設けられており、また、工具先端にはチゼルエッジが形成されるように先端逃げ面が形成されており、さらに、前記主溝２ａは、第一のねじれ角α１を有する第一のねじれ領域３と、この第一のねじれ領域３の工具基端側に連設され前記第一のねじれ角α１より大きい第二のねじれ角α２を有する第二のねじれ領域４とを備え、前記副溝２ｂのねじれ角は先端から基端まで一定であることを特徴とする穴明け工具。
【００１１】
また、請求項１記載の穴明け工具において、前記主溝２ａは、第一のねじれ角α１が３５°〜４５°に設定され、前記第二のねじれ角α２が前記第一のねじれ角α１より５°〜２０°大きく設定され、前記第一のねじれ領域３と前記第二のねじれ領域４との連設部６が工具先端から０．２ｍｍ〜前記切れ刃５を有する切り屑排出溝２の全長ｌの１／２の位置に設けられていることを特徴とする穴明け工具に係るものである。
【００１２】
また、請求項１，２いずれか１項に記載の穴明け工具において、前記副溝２ｂのねじれ角α３は前記主溝２ａの第一のねじれ領域３におけるねじれ角α１と略同じ角度に設定されていることを特徴とする穴明け工具に係るものである。
【００１３】
また、請求項３記載の穴明け工具において、前記副溝２ｂの全長ｋは、工具先端から０．２ｍｍ〜主溝２ａの全長ｌの１／２に設定されていることを特徴とする穴明け工具に係るものである。
【００１４】
また、請求項３，４いずれか１項に記載の穴明け工具において、前記副溝２ｂの溝深さは、前記主溝２ａの溝深さと同じか若しくは該主溝２ａの溝深さより浅く設定されていることを特徴とする穴明け工具に係るものである。
【００１５】
また、請求項１〜５いずれか１項に記載の穴明け工具において、工具先端が最も突出する角錐形状となるように、前記主溝２ａのすくい面とで切れ刃５を形成する第一の逃げ面11と、この第一の逃げ面11の後方側に連設する第二の逃げ面12と、副溝２ｂのすくい面の後方側に夫々連設する逃げ面13・14夫々が工具先端に対して所定角度で逃げるように設けられていることを特徴とする穴明け工具に係るものである。
【００１６】
また、請求項１〜６いずれか１項に記載の穴明け工具において、工具直径が０．４ｍｍ以下であることを特徴とする穴明け工具に係るものである。
【発明の効果】
【００１７】
本発明は上述のように構成したから、切り屑排出溝のねじれ角を途中で変化させることで折損し難く且つ切り屑排出性も良好となり、小径ドリルであっても良好な穴加工が実現できる極めて実用性に秀れた穴明け工具を提供となる。
【発明を実施するための最良の形態】
【００１８】
好適と考える本発明の実施形態を、図面に基づいて本発明の作用を示して簡単に説明する。
【００１９】
工具先端のねじれ角α１を小さくすることで、切り屑が薄く長くならずに厚く短くなり、工具本体１への巻付きを防止でき、さらに切れ刃の刃物角を大きく確保することができるため、切れ刃のカケを防ぐことができ穴位置精度を改善するとともに、折損し難くなる。また、工具基端側のねじれ角α２を大きくすることで、良好なポンプ作用により工具先端側で生じた厚く短い切り屑をスムーズに排出でき、切り屑詰まりを防止し、内壁粗さを改善することが可能となるとともに、この排出性の改善も折損の防止に寄与する。
【実施例】
【００２０】
本発明の具体的な実施例について図４〜図１０に基づいて説明する。
【００２１】
本実施例は、工具本体１の外周に工具先端から基端側に向かう螺旋状の切り屑排出溝２が複数形成された穴明け工具であって、前記切り屑排出溝２は、第一のねじれ角α１を有する第一のねじれ領域３と、この第一のねじれ領域３の工具基端側に連設され前記第一のねじれ角α１より大きい第二のねじれ角α２を有する第二のねじれ領域４とを備えたものである。
【００２２】
具体的には、本実施例は、工具直径ｄが０．１０５ｍｍで切り屑排出溝２の溝長ｌが１．５ｍｍのドリルであり、ＰＣＢの穴明け加工に使用されるものである。更に具体的には、図２に図示した工具を改良したものであり、ドリルの切り屑排出溝２に前記第一のねじれ領域３と前記第二のねじれ領域４とを設けている。
【００２３】
各部を具体的に説明する。
【００２４】
切り屑排出溝２は２つ設けられ、一の切り屑排出溝２のみに工具先端側に切れ刃５が設けられ、他の切り屑排出溝２の工具先端側には切れ刃が設けられていない構成としている。
【００２５】
具体的には、図４，５に図示したように、切れ刃５を有する切り屑排出溝２は工具先端から刃部（図１のＣ部分）の基端部まで形成される主溝２ａに設定され、切れ刃が設けられない切り屑排出溝２が主溝２ａより短い副溝２ｂに設定されている。
【００２６】
即ち、主溝２ａのすくい面と工具先端に設けられた（該主溝２ａのすくい面の後方の）第一の逃げ面11との交差稜線部に切れ刃５を設け、副溝２ｂのすくい面と工具先端に設けられた（該副溝２ｂのすくい面の後方の）逃げ面13・14との交差稜線部10には切れ刃を設けない構成としている。
【００２７】
具体的には、副溝２ｂのすくい面と逃げ面13・14との交差稜線部10のうちの少なくとも前記切れ刃５に対応する部分が該切れ刃５に対して工具軸方向に没入して切削作用を発揮しないように構成されている。
【００２８】
また、本実施例は、工具先端にチゼルエッジが形成されるように先端逃げ面が形成されている。具体的には、主溝２ａのすくい面と切れ刃５を形成する第一の逃げ面11と、この第一の逃げ面11の後方側に連設する第二の逃げ面12と、副溝２ｂのすくい面の後方側に夫々連設する逃げ面13・14とで、工具先端が最も突出する角錐形状となるように夫々の逃げ面が工具先端に対して所定角度で逃げる構成としている。
【００２９】
また、主溝２ａの第一のねじれ角α１は３５°〜４５°に設定されている。これは、切れ刃の欠けを考慮すると共に、被削物上面にアルミ板を載置するような場合や、被削物の内外層などに銅箔が多い場合には、ねじれ角が４５°を超える場合に切り屑排出溝２の基端部（根元部）に著しい切り屑の巻き付きが見られるため、切削を行う工具先端の切れ刃部分はねじれ角を４５°未満の角度として発生する切り屑を短くして切り屑が巻き付かないようにするためである。本実施例においては３８°に設定されている。
【００３０】
また、主溝２ａの第二のねじれ角α２は第一のねじれ角α１より５°〜２０°大きく設定されている。これは、溝領域を増やすことで被削材との接触面積を減らすと共に、切り屑を短くするためにねじれ角を小さめにした第一のねじれ領域３より良好なポンプ作用を得るためであり、２０°以下としたのは、２０°より大きくすると過度の強ねじれ角による工具のねじれ剛性の低下が懸念されるためである。本実施例においては５５°に設定されている。
【００３１】
また、切り屑を良好に排出するためには、できるだけ工具先端側で第二のねじれ角α２へ変化することが望ましいが、一般的にＰＣＢ用のドリルは使用後に先端を研ぎ直して使用するため（再研磨）、第一のねじれ領域３と第二のねじれ領域４との連設部６は、研磨量を考慮して工具先端から０．２ｍｍ〜主溝２ａの溝長ｌの１／２の位置に設定するのが好ましい。本実施例においては、第一のねじれ角α１と第二のねじれ角α２との変化点が工具先端から溝長ｌの２０％の位置（Ｃ１）となるように設定されている。
【００３２】
また、上述したように工具先端に切れ刃を１つだけ設け、切り屑排出溝を２つ（以上）設けた場合、切れ刃を形成しない切り屑排出溝（副溝２ｂ）の存在によりドリル先端における切削抵抗を低減し、ドリルの良好な直進性を得ることが可能となる。また、副溝２ｂは、主溝２ａ程度の全長にすると、それだけ切り屑排出性が向上するため、穴位置精度や内壁粗さ等の穴品質を改善する効果があるが、長くし過ぎるとドリルの剛性が低下し、返って穴位置精度の悪化を招き、また、折損の要因となる。
【００３３】
そこで、本実施例においては、副溝２ｂの全長ｋは、後述する再研磨性を考慮し、工具先端から０．２ｍｍ〜主溝２ａの全長ｌの１／２に設定している。尚、全長ｌの１／２より長くした場合、より良好な内壁粗さを得られるため、使用条件によって適宜選択する。本実施例においては、０．３５ｍｍに設定されている。
【００３４】
ところで、副溝２ｂのドリル基端側が主溝２ａの途中部と連設（連通）して連設部（連通部）で剛性が低下する可能性があるが、主溝２ａの全長ｌの１／２の範囲では、折損条件に大きく影響を及ぼさない場合が多く、連設させる構成となっても良い。この場合、切り屑排出性に改善が見られ、良好な内壁粗さを得ることが可能となる。
【００３５】
また、主溝２ａと副溝２ｂは工具先端視において工具回転中心Ｏに対して非点対称位置に設けられている。具体的には、主溝２ａの後方のランド部15が副溝２ｂの後方のランド部16より大きくなるように設定されている。本実施例においては、主溝２ａの切れ刃５の外周側端部とドリル回転中心とを結ぶ線と、副溝２ｂのドリル回転方向を向く壁面の反対側の面の外周側端部とドリル回転中心とを結ぶ線がなす角θ１が、４０°以上１８０°未満となるように設定し、主溝２ａの後方のランド部15の大きさを十分大きくしている。
【００３６】
即ち、主溝２ａ後方のランド部15は切れ刃５のバックアップの役割を果たし、このランド部15が小さすぎると十分なバックアップを確保できず、ドリルの直進性が低下して穴位置精度が悪化する。また、逆に大きすぎると、加工条件によっては加工穴内壁との接触面積の増加により穴内壁面を荒らしたり、切削抵抗（トルク抵抗）の増加による折損に至る場合もある。そのため、上記角θ１は上記数値範囲内となるように設定している。
【００３７】
尚、本実施例においては切削作用を発揮せず主溝２ａより全長が短い切り屑排出溝（副溝２ｂ）を１つ設けた構成としているが、切削作用を発揮せず主溝２ａより短い切り屑排出溝を２つ以上設ける構成としても良い。
【００３８】
例えば図６に図示したように主溝２ａの後方のランド部15の中央部に副溝２ｂより浅く且つ主溝２ａの１／２以下の長さの副溝２ｃを設ける構成としても良い（主溝２ａの後方のランド部15のＬ１・Ｌ２部分を残すように、即ち、工具先端において主溝２ａ及び副溝２ｂに連通しないように設ける。）。この場合、加工条件によってはドリルの剛性を極力低下させることなく、また切れ刃５のバックアップ効果を低減させることなく加工穴内壁との接触面積を最適化して、穴品質及び耐折損性の向上を図ることができる。また、例えば図７に図示したように主溝２ａの後方のランド部15に副溝２ｂと連通し該副溝２ｂより浅く且つ主溝２ａの１／２以下の長さのクリアランスＸを設けた場合も図６の構成とした場合と同様、穴品質及び耐折損性の向上を図ることができる。尚、この場合、ランド部15のＬ１部分がランド部16のガイド幅Ｇより大きくなるように設定する。
【００３９】
また、副溝２ｂのねじれ角α３は前記主溝２ａの第一のねじれ領域３におけるねじれ角α１と略同じ角度（３８°）に設定されている。これは、主溝２ａの第一のねじれ角と同じ角度に設定することで良好な直進性が発揮されるためであり、これにより良好な穴位置精度を得ることが可能となる。
【００４０】
また、副溝２ｂの溝深さＹｓは、前記主溝２ａの溝深さＹｍと同じか若しくは該主溝２ａの溝深さＹｍより浅く設定されている。これは、副溝２ｂはドリル先端部で切削作用を持たず、この副溝２ｂ内に排出される切り屑は主溝２ａに比し微量となるため、副溝２ｂの溝深さＹｓを主溝２ａの溝深さＹｍよりも浅くすることができるためである。本実施例においては主溝２ａと副溝２ｂの溝深さは略同じに設定しているが、副溝２ｂの溝深さＹｓを主溝２ａの溝深さＹｍより浅く設定した場合には、肉厚を確保してそれだけドリル剛性を高めることが可能となり、切り屑排出性を損なうことなく、穴位置精度を改善でき、また、ドリルの折損が発生し難くなる。
【００４１】
また、図８に図示したように、主溝２ａは溝深さＹｍが工具基端側に向かって徐々に浅くなる第一の傾斜領域７と、この第一の傾斜領域７の基端側に連設され該第一の傾斜領域７より傾斜度合いの小さい第二の傾斜領域８とを有する構成としている。また、副溝２ｂは、溝深さＹｓ及び溝深さの傾斜度合いが前記主溝２ａの第一の傾斜領域７と略同じになるように構成している。
【００４２】
具体的には、主溝２ａ及び副溝２ｂの工具先端における溝深さは工具直径ｄの２０％〜４０％となるように設定される。これは、２０％未満であると工具先端においてスムーズな切り屑流れを得ることができず、穴内壁粗さの悪化が懸念されるためであり、４０％を超えると工具先端の切れ刃５が加工により摩滅し易く、また、適度な剛性を得られないことから穴位置精度が悪化してしまうからである。本実施例においては２９％に設定されている。尚、副溝２ｂは主溝２ａより浅く設定しても良い。
【００４３】
また、主溝２ａの第一の傾斜領域７における溝深さの傾斜度合いは、０．０４０ｍｍ／ｍｍに設定され、第二の傾斜領域８における溝深さの傾斜度合いは、０．００４ｍｍ／ｍｍに設定されている。
【００４４】
また、第一の傾斜領域７と第二の傾斜領域８との連設部９、即ち、第一の傾斜領域７と第二の傾斜領域８との変化点Ｃ２はねじれ角の変化点Ｃ１より工具基端側にあることが望ましい。本実施例においては、第一の傾斜領域７と第二の傾斜領域８との変化点Ｃ２が工具先端から溝長ｌの３０％の位置となるように設定されている。
【００４５】
尚、副溝２ｂの長さが工具先端から前記変化点Ｃ２までの長さより長い場合は、適度な剛性を確保するため、主溝２ａと同様に副溝２ｂの溝深さの傾斜度合いを変化させてもよい。
【００４６】
本実施例は上述のように構成したから、工具先端のねじれ角α１を小さくすることで、切り屑が薄く長くならずに厚く短くなり、工具本体１への巻付きを防止でき、さらに切れ刃の刃物角を大きく確保することができるため、切れ刃のカケを防ぐことができ穴位置精度を改善するとともに、折損し難くなる。また、工具基端側のねじれ角α２を大きくすることで、良好なポンプ作用により工具先端側で生じた厚く短い切り屑をスムーズに排出でき、切り屑詰まりを防止し、内壁粗さを改善することが可能となるとともに、この排出性の改善も折損の防止に寄与する。
【００４７】
また、主溝２ａに第一の傾斜領域７の工具基端側に第二の傾斜領域８を設けることで、工具本体１の剛性を確保するとともに切り屑排出溝２の基端側においてもある程度溝容積を確保することができ、それだけ切り屑をスムーズに排出させることが可能となる。
【００４８】
また、主溝２ａの第一の傾斜領域７と第二の傾斜領域８との連設部９を、第一のねじれ領域３と第二のねじれ領域４との連設部６より工具基端側にずらして設けることで、切り屑の排出性を阻害する溝深さの傾斜度合いの変化点Ｃ２とねじれ角の変化点Ｃ１とをずらすことができ、切り屑排出性が急激に悪化する部位が生ぜず、よって、切り屑排出性を可及的に低下させることなく、穴位置精度と穴内壁粗さの双方を改善することが可能となる。
【００４９】
よって、本実施例は、切り屑排出溝のねじれ角を途中で変化させることで折損し難く且つ切り屑排出性も良好となり、小径ドリルであっても良好な穴加工が実現できる極めて実用性に秀れたものとなる。
【００５０】
本実施例の効果を裏付ける実験例について説明する。
【００５１】
図２に図示されるように２つの切り屑排出溝（ねじれ角は４５°で一定）を有し各切り屑排出溝の先端側に夫々切れ刃を有する２溝２刃で各溝長が１．５ｍｍである従来例のドリルと、図４に図示される主溝２ａ（ねじれ角は３８°と５５°、ドリル先端から０．３５ｍｍの位置で変化）と副溝２ｂ（ねじれ角は３８°）とを有し主溝２ａの溝長が１．５ｍｍで副溝２ｂの溝長が０．３５ｍｍである本実施例のドリルの折損寿命を評価した。尚、いずれもドリル直径は０．１０５ｍｍである。
【００５２】
図９，１０より本実施例のドリルは明らかに折損に至るまでのヒット数が多くなっており、対折損性が向上していることが確認できた。
【００５３】
尚、本実施例の構成は小径ドリル、特に工具直径が０．４ｍｍ以下のドリルに好適であることを確認している。
【図面の簡単な説明】
【００５４】
【図１】ＰＣＢ用ドリルの概略説明側面図である。
【図２】従来例の要部の拡大概略説明図である。
【図３】従来例の概略説明正面図である。
【図４】本実施例の要部の拡大概略説明側面図である。
【図５】本実施例の概略説明正面図である。
【図６】別例の概略説明正面図である。
【図７】別例の概略説明正面図である。
【図８】本実施例の要部の拡大概略説明図である。
【図９】実験結果を示す表である。
【図１０】実験結果を示すグラフである。
【符号の説明】
【００５５】
１  工具本体
２  切り屑排出溝
２ａ  主溝
２ｂ  副溝
３  第一のねじれ領域
４  第二のねじれ領域
５  切れ刃
６  連設部
α１  第一のねじれ角
α２  第二のねじれ角
α３  （副溝２ｂの）ねじれ角
ｌ  （主溝２ａの）全長
ｋ  （副溝２ｂの）全長
Ｏ  工具回転中心
ｄ  工具直径
【図１】
0004723599.tif 000002
【図２】
0004723599.tif 000003
【図３】
0004723599.tif 000004
【図４】
0004723599.tif 000005
【図５】
0004723599.tif 000006
【図６】
0004723599.tif 000007
【図７】
0004723599.tif 000008
【図８】
0004723599.tif 000009
【図９】
0004723599.tif 000010
【図１０】
0004723599.tif 000011